(57)【要約】【課題】部品点数の削減や構造の簡素化を図ることができるとともに、ミラー支持ステーに対する最適のクランプ力を容易に得ることができる手動式ミラーを提供する。【解決手段】ミラー本体２をミラー支持ステー４に取り付けるための取付部３を、主として、ミラーハウジング２ａの他面側に一体的に突設される一対のブラケット５，５、Ｕ字状クランプ部材６および締結具７により構成し、Ｕ字状クランプ部材６における一対のアーム部６ｂ，６ｂの間に嵌り込むように突起８をミラーハウジング２ａの他面側に一体的に設けて、締結具７の締め付けの際に、それらアーム部６ｂ，６ｂが互いに近づくような変位を該突起８によって規制する一方で、Ｕ字状クランプ部材６における挟持部６ａの挟持幅が縮まるような変位を許容するものとする。【選択図】図３
2015085790.tif 000002
【特許請求の範囲】
【請求項１】
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して一体的に突設される一対のブラケットと、ミラー支持ステーを挟持する挟持部とその挟持部から直線状に延びる一対のアーム部とよりなるＵ字状クランプ部材と、前記一対のアーム部を貫通しそれらアーム部と前記一対のブラケットとを互いに回動可能に締結する締結具とを備えてなり、
前記一対のアーム部の間に嵌り込むように前記ミラー本体の他面側に一体的に突起を設けて、前記締結具の締め付けの際に、それらアーム部が互いに近づくような変位を該突起によって規制する一方で、前記挟持部の挟持幅が縮まるような変位を許容するようにしたことを特徴とする手動式ミラー。
【請求項２】
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して一体的に突設される一対のブラケットと、ミラー支持ステーを挟持する挟持部とその挟持部から直線状に延びる一対のアーム部とよりなるＵ字状クランプ部材と、前記一対のアーム部を貫通しそれらアーム部と前記一対のブラケットとを互いに回動可能に締結する締結具とを備えてなり、
前記一対のアーム部の前記締結具が貫通する部位から先端側に、それらアーム部のいずれか一方または両方に内向きに張り出すように突起を設けて、前記締結具の締め付けの際に、それらアーム部が互いに近づくような変位を該突起によって規制する一方で、前記挟持部の挟持幅が縮まるような変位を許容するようにしたことを特徴とする手動式ミラー。
【請求項３】
前記ミラー本体の他面側に、前記一対のブラケットの外側に位置するように段差部が設けられる請求項１または２に記載の手動式ミラー。
【発明の詳細な説明】
【技術分野】
【０００１】
本発明は、ミラー位置を手動にて調整可能な手動式ミラーに関するものである。
【背景技術】
【０００２】
従来、一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーがある（例えば、特許文献１参照。）。
【先行技術文献】
【特許文献】
【０００３】
【特許文献１】特開２０１１−７４６４１号公報
【０００４】
図５には、従来の手動式ミラーにおける取付部の構造説明図が示されている。
【０００５】
従来の手動式ミラーは、その主要構成部品がスチール製である。
この手動式ミラーにおいて、ミラー本体１００をミラー支持ステー１０１に取り付けるための取付部１０２は、主として、皿状台座１０３、Ｕ字状ブラケット１０４、Ｕ字状クランプ部材１０５および締結具１０６を備えて構成されている。
ここで、Ｕ字状クランプ部材１０５は、ミラー支持ステー１０１を挟持する挟持部１０５ａと、この挟持部１０５ａから直線状に延びる一対のアーム部１０５ｂ，１０５ｂとにより構成されている。
【０００６】
この手動式ミラーの取付部１０２において、Ｕ字状ブラケット１０４は、スポット溶接等で皿状台座１０３に固着され、皿状台座１０３は、ミラー本体１００の内部に組み込まれた補強板１０７にビス１０８で締結することによってミラー本体１００の他面側に固定され、Ｕ字状ブラケット１０４とＵ字状クランプ部材１０５における一対のアーム部１０５ｂ，１０５ｂとは締結具１０６によって互いに回動可能に締結されている。
【０００７】
上記の取付部１０２においては、締結具１０６を締め付けると、Ｕ字状クランプ部材１０５における一対のアーム部１０５ｂ，１０５ｂが互いに近づくような変位が生じるが、かかる変位量が小さすぎれば、ミラー支持ステー１０１に対するＵ字状クランプ部材１０５のクランプ力が小さすぎて、振動等でミラー本体１００が勝手に動きミラー位置が定まらず使用に不適な状態となり、かかる変位量が大きすぎれば、ミラー支持ステー１０１に対するＵ字状クランプ部材１０５のクランプ力が大きすぎて、手動でミラー位置を調節するのが困難になる。
【０００８】
そこで、振動等ではミラー本体１００が勝手に動かないが、ミラー本体１００の位置を手動で調節することができる最適のクランプ力を得るために、Ｕ字状クランプ部材１０５における一対のアーム部１０５ｂ，１０５ｂの基端部から先端部の全域に亘って断面コの字形状に形成し、互いの開放側を向かい合わせて、互いのフランジ１０９，１０９を突き当てることが可能とし、締結具１０６の締め付けの際にそれらアーム部１０５ｂ，１０５ｂが互いに近づくような変位が最適クランプ力に見合う所定量に達するとそれらフランジ１０９，１０９が突き当たるようにしてその変位量を規制するようにしている。
【０００９】
しかしながら、従来の手動式ミラーでは、Ｕ字状ブラケット１０４をミラー本体１００に固定するために、皿状台座１０３や補強板１０７等が必要であることから部品点数が増えるとともに、締結具１０６の締め付けの際にＵ字状クランプ部材１０５における一対のアーム部１０５ｂ，１０５ｂが互いに近づくような変位を規制するためのフランジ１０９，１０９をそれらアーム部１０５ｂ，１０５ｂに設ける必要があることからＵ字状クランプ部材１０５の形状が複雑になり、構造の簡素化を図ることが難しいという問題点がある。
【発明の概要】
【発明が解決しようとする課題】
【００１０】
本発明は、前述のような問題点に鑑みてなされたもので、部品点数の削減や構造の簡素化を図ることができるとともに、ミラー支持ステーに対する最適のクランプ力を容易に得ることができる手動式ミラーを提供する。
【課題を解決するための手段】
【００１１】
前記目的を達成するために、第１発明による手動式ミラーは、
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して一体的に突設される一対のブラケットと、ミラー支持ステーを挟持する挟持部とその挟持部から直線状に延びる一対のアーム部とよりなるＵ字状クランプ部材と、前記一対のアーム部を貫通しそれらアーム部と前記一対のブラケットとを互いに回動可能に締結する締結具とを備えてなり、
前記一対のアーム部の間に嵌り込むように前記ミラー本体の他面側に一体的に突起を設けて、前記締結具の締め付けの際に、それらアーム部が互いに近づくような変位を該突起によって規制する一方で、前記挟持部の挟持幅が縮まるような変位を許容するようにしたことを特徴とするものである。
【００１２】
次に、第２発明による手動式ミラーは、
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して一体的に突設される一対のブラケットと、ミラー支持ステーを挟持する挟持部とその挟持部から直線状に延びる一対のアーム部とよりなるＵ字状クランプ部材と、前記一対のアーム部を貫通しそれらアーム部と前記一対のブラケットとを互いに回動可能に締結する締結具とを備えてなり、
前記一対のアーム部の前記締結具が貫通する部位から先端側に、それらアーム部のいずれか一方または両方に内向きに張り出すように突起を設けて、前記締結具の締め付けの際に、それらアーム部が互いに近づくような変位を該突起によって規制する一方で、前記挟持部の挟持幅が縮まるような変位を許容するようにしたことを特徴とするものである。
【００１３】
第１発明または第２発明において、前記ミラー本体の他面側に、前記一対のブラケットの外側に位置するように段差部が設けられるのが好ましい（第３発明）。
【発明の効果】
【００１４】
第１発明の手動式ミラーによれば、ミラー本体をミラー支持ステーに取り付けるための取付部が、主として、ミラー本体の他面側に一体的に突設される一対のブラケット、Ｕ字状クランプ部材および締結具により構成されているので、従来の手動式ミラーでは必要とされていた皿状台座や補強板等が不要になり、部品点数の削減を図ることができる。
また、Ｕ字状クランプ部材における一対のアーム部の間に嵌り込むように突起がミラー本体の他面側に一体的に設けられ、締結具の締め付けの際に、それらアーム部が互いに近づくような変位が該突起によって規制されるので、従来の手動式ミラーでは必要とされていたＵ字状クランプ部材における一対のアーム部の基端部から先端部の全域に亘って形成されていたフランジが不要になり、Ｕ字状クランプ部材の形状を簡易なものとすることができ、構造の簡素化を図ることができる。
また、締結具の締め付けの際に、Ｕ字状クランプ部材における挟持部の挟持幅が縮まるような変位が許容されるので、締結具の締付量に応じて、ミラー支持ステーに対するＵ字状クランプ部材のクランプ力を調整することができ、ミラー支持ステーに対して、振動等ではミラー本体が勝手に動かないが、ミラー本体の位置を手動で調節することができる最適のクランプ力を容易に得ることができる。
【００１５】
第２発明の手動式ミラーによれば、第１発明の手動式ミラーと同様に、従来の手動式ミラーでは必要とされていた皿状台座や補強板等が不要になり、部品点数の削減を図ることができる。
また、Ｕ字状クランプ部材における一対のアーム部の締結具が貫通する部位から先端側に、それらアーム部のいずれか一方または両方に内向きに張り出すように突起が設けられ、締結具の締め付けの際に、それらアーム部が互いに近づくような変位が該突起によって規制されるので、第１発明の手動式ミラーと同様に、構造の簡素化を図ることができる。
また、締結具の締め付けの際に、Ｕ字状クランプ部材における挟持部の挟持幅が縮まるような変位が許容されるので、第１発明の手動式ミラーと同様に、最適のクランプ力を容易に得ることができる。
【００１６】
また、第３発明によれば、ミラー本体の他面側に、一対のブラケットの外側に位置するように段差部が設けられるので、締結具の締め付けによって一対のブラケットの幅が縮まるような変位が生じても、この変位の影響によるミラー本体の変形を段差部で抑えることができる。
【図面の簡単な説明】
【００１７】
【図１】本発明の一実施形態に係る手動式ミラーの側面図である。
【図２】図１のＡ矢視図である。
【図３】図２のＢ−Ｂ線断面図である。
【図４】取付部の変形例の説明図である。
【図５】従来の手動式ミラーにおける取付部の構造説明図である。
【発明を実施するための形態】
【００１８】
次に、本発明による手動式ミラーの具体的な実施の形態について、図面を参照しつつ説明する。
【００１９】
＜手動式ミラーの概略説明＞
図１に示される手動式ミラー１は、例えばポリプロピレン等の樹脂材料よりなるミラーハウジング２ａの一面側に鏡面板２ｂが嵌め込まれてなるミラー本体２を備えている。
この手動式ミラー１においては、ミラー本体２が取付部３を介して、図示されない例えば建設機械の車両側に設けられたミラー支持ステー４に取り付けられており、ミラー本体２が、該ミラー支持ステー４の軸線回りに回動可能で、かつ該ミラー支持ステー４に対し傾動可能となるようにし、ミラー位置を手動にて調整することができるようになっている。
【００２０】
＜取付部の説明＞
図２および図３に示されるように、取付部３は、主として一対のブラケット５，５、Ｕ字状クランプ部材６および締結具７により構成されている。
一対のブラケット５，５は、ミラー本体２の他面側、つまりミラーハウジング２ａの他面側に所定の間隔を有して突設されており、樹脂成型によりミラーハウジング２ａと一体成形されている。
Ｕ字状クランプ部材６は、例えばポリプロピレンやＰＯＭ（ポリアセタール）、ナイロン６、ナイロン６６等の樹脂材料で樹脂成型により図３において逆Ｕの字状に形成されるもので、ミラー支持ステー４を挟持する丸みを持った挟持部６ａと、この挟持部６ａから直線状に延びる一対のアーム部６ｂ，６ｂとを有している。
締結具７は、一対のブラケット５，５と共にＵ字状クランプ部材６における一対のアーム部６ｂ，６ｂを貫通するボルト７ａと、このボルト７ａに螺合するナット７ｂとよりなり、それらブラケット５，５とアーム部６ｂ，６ｂとを互いに回動可能に締結する役目をする。
【００２１】
＜突起の説明＞
ミラーハウジング２ａの他面側には、Ｕ字状クランプ部材６における一対のアーム部６ｂ，６ｂの間に嵌り込むように突起８が樹脂成型によりミラーハウジング２ａと一体成形で設けられており、締結具７の締め付けの際に、それらアーム部６ｂ，６ｂの先端部が互いに近づくような変位を該突起８によって規制する一方で、Ｕ字状クランプ部材６における挟持部６ａの挟持幅が縮まるような変位を許容するようにされている。
【００２２】
＜段差部の説明＞
ミラーハウジング２ａの他面側には、一対のブラケット５，５の外側に位置するように段差部９が設けられており、締結具７の締め付けによって一対のブラケット５，５の幅が縮まるような変位が生じても、この変位の影響によるミラーハウジング２ａの変形を段差部９で抑えることができるようになっている。
なお、段差部９には、取付部３を覆うカバー部材１０（説明の都合上、図３，４にのみ描く。）が装着されており、取付部３へのゴミ等の侵入を防ぐことができるとともに、外観上の美感を確保することができる。
【００２３】
＜作用効果の説明＞
以上に述べたように構成される手動式ミラー１によれば、一対のブラケット５，５がミラーハウジング２ａとの樹脂成型により該ミラーハウジング２ａの他面側に一体的に突設されるものとされるので、従来の手動式ミラーでは必要とされていた皿状台座１０３や補強板１０７等が不要になり、部品点数の削減を図ることができる。
【００２４】
また、Ｕ字状クランプ部材６における一対のアーム部６ｂ，６ｂの間に嵌り込むように突起８がミラーハウジング２ａの他面側に一体的に設けられている。これにより、締結具７の締め付けの際に、それらアーム部６ｂ，６ｂの先端部が互いに近づくような変位が該突起８によって規制されるので、従来の手動式ミラーでは必要とされていたＵ字状クランプ部材１０５における一対のアーム部１０５ｂ，１０５ｂの基端部から先端部の全域に亘って形成されていたフランジ１０９，１０９が不要になり、Ｕ字状クランプ部材６の形状を簡易なものとすることができて構造の簡素化を図ることができ、樹脂成型によってＵ字状クランプ部材６を容易に作製することができる。
【００２５】
また、締結具７の締め付けの際に、Ｕ字状クランプ部材６における挟持部６ａの挟持幅が縮まるような変位が許容されるので、締結具７の締付量に応じて、ミラー支持ステー４に対するＵ字状クランプ部材６のクランプ力を調整することができ、ミラー支持ステー４に対して、振動等ではミラー本体２が勝手に動かないが、ミラー本体２の位置を手動で調節することができる最適のクランプ力を容易に得ることができる。
【００２６】
以上、本発明の手動式ミラーについて、一実施形態に基づいて説明したが、本発明は上記実施形態に記載した構成に限定されるものではなく、その趣旨を逸脱しない範囲において適宜その構成を変更することができるものである。
【００２７】
例えば、上記の実施形態では、Ｕ字状クランプ部材６における一対のアーム部６ｂ，６ｂの間に嵌り込むように突起８をミラーハウジング２ａの他面側に一体的に設けて、締結具７の締め付けの際に、それらアーム部６ｂ，６ｂの先端部が互いに近づくような変位を該突起８によって規制するようにされているが、これに限定されるものでなく、図４（ａ）に示されるように、Ｕ字状クランプ部材６における一対のアーム部６ｂ，６ｂの締結具７（ボルト７ａ）が貫通する部位から先端側に、それらアーム部６ｂ，６ｂの両方に内向きに張り出すように突起１１，１１を設けたり、同図（ｂ）（ｃ）に示されるように、それらアーム部６ｂ，６ｂのいずれか一方に内向きに張り出すように突起１２を設けたりして、締結具７の締め付けの際に、それらアーム部６ｂ，６ｂの先端部が互いに近づくような変位を該突起１１，１２によって規制するようにしてもよい。
【産業上の利用可能性】
【００２８】
本発明の手動式ミラーは、部品点数の削減や構造の簡素化を図ることができるとともに、ミラー支持ステーに対する最適のクランプ力を容易に得ることができるという特性を有していることから、例えば建設機械やダンプトラック等の作業車両の後視鏡としての用途に好適に用いることができる。
【符号の説明】
【００２９】
１      手動式ミラー
２      ミラー本体
２ａ    ミラーハウジング
２ｂ    鏡面板
３      取付部
４      ミラー支持ステー
５      ブラケット
６      Ｕ字状クランプ部材
６ａ    挟持部
６ｂ    アーム部
７      締結具
８      突起（ミラー本体側）
９      段差部
１０    カバー部材
１１，１２    突起（Ｕ字状クランプ部材側）
【図１】
2015085790.tif 000003
【図２】
2015085790.tif 000004
【図３】
2015085790.tif 000005
【図４】
2015085790.tif 000006
【図５】
2015085790.tif 000007
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して該ミラー本体と樹脂成型による一体成形にて突設される一対のブラケットと、ミラー支持ステーを挟持する挟持部とその挟持部から直線状に延びる一対のアーム部とよりなるＵ字状クランプ部材と、前記一対のブラケットと共に前記一対のアーム部を貫通しそれらアーム部と前記一対のブラケットとを互いに回動可能に締結する締結具とを備えてなり、
前記一対のブラケットの間で、かつ前記一対のアーム部の間に嵌り込むように前記ミラー本体の他面側に該ミラー本体と樹脂成型による一体成形にて突設される突起を設けて、前記締結具の締め付けの際に、それらアーム部が互いに近づくような変位を該突起によって規制する一方で、前記挟持部の挟持幅が縮まるような変位を許容するようにしたことを特徴とする手動式ミラー。
【請求項２】
前記ミラー本体の他面側に、前記一対のブラケットの外側に位置するように凹状の段差部が設けられる請求項１に記載の手動式ミラー。
【手続補正２】
【補正対象書類名】明細書
【補正対象項目名】０００４
【補正方法】変更
【補正の内容】
【０００４】
図４には、従来の手動式ミラーにおける取付部の構造説明図が示されている。
【手続補正３】
【補正対象書類名】明細書
【補正対象項目名】００１１
【補正方法】変更
【補正の内容】
【００１１】
前記目的を達成するために、第１発明による手動式ミラーは、
一面側に鏡面板が配設されてなるミラー本体を、取付部を介してミラー支持ステーに取り付けて、該ミラー支持ステーの軸線回りに回動可能で、かつ該ミラー支持ステーに対し傾動可能となるようにした手動式ミラーにおいて、
前記取付部は、前記ミラー本体の他面側に所定の間隔を有して該ミラー本体と樹脂成型による一体成形にて突設される一対のブラケットと、ミラー支持ステーを挟持する挟持部とその挟持部から直線状に延びる一対のアーム部とよりなるＵ字状クランプ部材と、前記一対のブラケットと共に前記一対のアーム部を貫通しそれらアーム部と前記一対のブラケットとを互いに回動可能に締結する締結具とを備えてなり、
前記一対のブラケットの間で、かつ前記一対のアーム部の間に嵌り込むように前記ミラー本体の他面側に該ミラー本体と樹脂成型による一体成形にて突設される突起を設けて、前記締結具の締め付けの際に、それらアーム部が互いに近づくような変位を該突起によって規制する一方で、前記挟持部の挟持幅が縮まるような変位を許容するようにしたことを特徴とするものである。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
第１発明において、前記ミラー本体の他面側に、前記一対のブラケットの外側に位置するように凹状の段差部が設けられるのが好ましい（第２発明）。
【手続補正６】
【補正対象書類名】明細書
【補正対象項目名】００１４
【補正方法】変更
【補正の内容】
【００１４】
第１発明の手動式ミラーによれば、ミラー本体をミラー支持ステーに取り付けるための取付部が、主として、ミラー本体の他面側に該ミラー本体と樹脂成型による一体成形にて突設される一対のブラケット、Ｕ字状クランプ部材および締結具により構成されているので、従来の手動式ミラーでは必要とされていた皿状台座や補強板等が不要になり、部品点数の削減を図ることができる。
また、Ｕ字状クランプ部材における一対のアーム部の間に嵌り込むように突起がミラー本体の他面側に該ミラー本体と樹脂成型による一体成形にて突設され、締結具の締め付けの際に、それらアーム部が互いに近づくような変位が該突起によって規制されるので、従来の手動式ミラーでは必要とされていたＵ字状クランプ部材における一対のアーム部の基端部から先端部の全域に亘って形成されていたフランジが不要になり、Ｕ字状クランプ部材の形状を簡易なものとすることができ、構造の簡素化を図ることができる。
また、締結具の締め付けの際に、Ｕ字状クランプ部材における挟持部の挟持幅が縮まるような変位が許容されるので、締結具の締付量に応じて、ミラー支持ステーに対するＵ字状クランプ部材のクランプ力を調整することができ、ミラー支持ステーに対して、振動等ではミラー本体が勝手に動かないが、ミラー本体の位置を手動で調節することができる最適のクランプ力を容易に得ることができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また、第２発明によれば、ミラー本体の他面側に、一対のブラケットの外側に位置するように凹状の段差部が設けられるので、締結具の締め付けによって一対のブラケットの幅が縮まるような変位が生じても、この変位の影響によるミラー本体の変形を段差部で抑えることができる。
【手続補正９】
【補正対象書類名】明細書
【補正対象項目名】００１７
【補正方法】変更
【補正の内容】
【００１７】
【図１】本発明の一実施形態に係る手動式ミラーの側面図である。
【図２】図１のＡ矢視図である。
【図３】図２のＢ−Ｂ線断面図である。
【図４】従来の手動式ミラーにおける取付部の構造説明図である。
【手続補正１０】
【補正対象書類名】明細書
【補正対象項目名】００２７
【補正方法】削除
【補正の内容】
【手続補正１１】
【補正対象書類名】明細書
【補正対象項目名】００２９
【補正方法】変更
【補正の内容】
【００２９】
１      手動式ミラー
２      ミラー本体
２ａ    ミラーハウジング
２ｂ    鏡面板
３      取付部
４      ミラー支持ステー
５      ブラケット
６      Ｕ字状クランプ部材
６ａ    挟持部
６ｂ    アーム部
７      締結具
８      突起（ミラー本体側）
９      段差部
１０    カバー部材
【手続補正１２】
【補正対象書類名】図面
【補正対象項目名】図４
【補正方法】変更
【補正の内容】
【図４】
2015085790.tif 000008
【手続補正１３】
【補正対象書類名】図面
【補正対象項目名】図５
【補正方法】削除
【補正の内容】